(57)【特許請求の範囲】
【請求項１】
カメラ付きドアホンと、そのカメラ付きドアホンから伝送される映像を表示するモニタ付きインターホンとを備えるインターホン装置において、カメラ付きドアホンには、人の接近を検知する人感センサが設けられ、モニタ付きインターホンには、留守モードに移行させる場合に操作する留守釦と、留守釦が押下されたことを検知する留守釦検知部と、人感センサが人の接近を検知したことを検知する人感センサ検知部とが設けられ、前記インターホン装置が留守釦押下によって留守モードに設定されている状態で人感センサが来客を検知した場合に、前記カメラ付きドアホンから伝送される映像及び音声を、映像は外部の記憶装置に、音声は圧縮して自機内に、それぞれ記録する手段と、留守釦が再度操作され留守モードが解除されると、前記記録済みの映像をモニタ付きインターホンのモニタに再生表示するとともに、前記圧縮音声を伸長して音声出力する手段とを備えていることを特徴とするインターホン装置。
【請求項２】
モニタ付きインターホンには、人感センサ検知部によって制御されるビデオリモートコントロール部が設けられ、
人感センサによって人体接近が検知されれば、人感センサ検知部からの制御によって、ビデオリモートコントロール部は、前記外部の記憶装置用のリモコン信号と同等の制御信号を、当該記憶装置に出力することを特徴とする請求項１に記載のインターホン装置。
【発明の詳細な説明】
【０００１】
【発明の属する技術分野】
本発明は、住戸外に取り付けられるカメラ付きドアホンと住戸内に取り付けられるモニタ付きインターホンとを備えるインターホン装置に関するもので、特に、外出時の来客に対応できるインターホン装置に関するものである。
【０００２】
【従来の技術】
従来、住戸外に取り付けられるカメラ付きドアホンと、住戸内に取り付けられた複数のモニタ付きインターホンとを備えるインターホン装置は、本来、来客通知が大きな目的であるため、モニタ付きインターホンのモニタに表示される映像は、来客時にカメラ付きドアホンから伝送された映像のみが表示されるように構成されており、留守中の来客に関して、その訪問に関する記録を残す手段がなかったため、留守中の来客が誰であったのか確認することができなかった。
【０００３】
【発明が解決しようとする課題】
以上に述べたように、従来のテレビ付きドアホンと、複数のモニタ付きインターホンとを備えるインターホン装置では、不在時の来客に応対することができず、留守中の来客に関して、その訪問に関する記録を残す手段がなかったため、不在時の来客者を知ることができないという問題点があった。
【０００４】
本発明は、上記問題点に鑑みなされたもので、その目的とするところは、不在時の来客の記録を残すことにより不在時の来客に対する対応が可能なインターホン装置の構造を提供することにある。
【０００５】
【課題を解決するための手段】
上記目的を達成するため、請求項１記載のインターホン装置は、カメラ付きドアホンと、そのカメラ付きドアホンから伝送される映像を表示するモニタ付きインターホンとを備えるインターホン装置において、カメラ付きドアホンには、人の接近を検知する人感センサが設けられ、モニタ付きインターホンには、留守モードに移行させる場合に操作する留守釦と、留守釦が押下されたことを検知する留守釦検知部と、人感センサが人の接近を検知したことを検知する人感センサ検知部とが設けられ、前記インターホン装置が留守釦押下によって留守モードに設定されている状態で人感センサが来客を検知した場合に、前記カメラ付きドアホンから伝送される映像及び音声を、映像は外部の記憶装置に、音声は圧縮して自機内に、それぞれ記録する手段と、留守釦が再度操作され留守モードが解除されると、前記記録済みの映像をモニタ付きインターホンのモニタに再生表示するとともに、前記圧縮音声を伸長して音声出力する手段とを備えていることを特徴とするものである。これにより、留守中の来客の記録を映像及び音声で残すことができ、留守中の来客に対する対応が可能となる。
【０００７】
請求項２記載のインターホン装置は、請求項１に記載のインターホン装置において、モニタ付きインターホンには、人感センサ検知部によって制御されるビデオリモートコントロール部が設けられ、人感センサによって人体接近が検知されれば、人感センサ検知部からの制御によって、ビデオリモートコントロール部は、前記外部の記憶装置用のリモコン信号と同等の制御信号を、当該記憶装置に出力することを特徴とするものである。これにより、例えば、外部の記憶装置を、リモコン付きの家庭用ビデオデッキとしビデオデッキの入力端子にモニタ付きインターホンのビデオ出力端子を接続して、インターホン装置にリモコンが出力する制御信号と同様の信号を出力する手段を設けることによって、家庭用の（汎用の）ビデオデッキを記録手段として活用することが可能となる。
【０００９】
【発明の実施の形態】
図１に基づいて本願発明のインターホン装置の参考例について説明する。図で、１は住戸外に取り付けられるカメラ付きドアホンであり、２は伝送線３を介してカメラ付きドアホン１と接続された、住戸内に取り付けられるモニタ付きインターホンである。
【００１０】
カメラ付きドアホン１は、通話音声を出力するスピーカー４と、通話音声を入力するマイク５と、来客の映像を撮像するカメラ６と、通話を開始する場合に操作される呼出釦７と、マイク５から入力される通話音声信号とカメラ６から入力される映像信号を多重化して伝送線３に出力すると共に、モニタ付きインターホン２から伝送される多重信号を通話音声信号と映像信号とに分離する多重化分離化処理部８とを備えている。
【００１１】
一方、モニタ付きインターホン２は、通話音声を出力するスピーカー９と、通話音声を入力するマイク１０と、映像を表示するモニタ１１と、通話する場合に操作される通話釦１２と、他のカメラ・モニタ付きインターホン（図示せず）との通話（内線通話）を行う場合に操作される内線釦１３と、映像信号と通話音声信号との多重化または分離化を行う多重化分離化処理部１４と、カメラ付きドアホン１に設けられた呼出釦７が押下されたことを検知する呼出釦検知部１５と、留守モードに移行させる場合に操作する留守釦１６と、留守釦１６が押下されたことを検知する留守釦検知部１７と、カメラ付きドアホン１から伝送された通話音声を圧縮する音声圧縮部１８と、音声圧縮部１８が出力する信号を保持する音声メモリ１９と、音声メモリ１９に蓄えられた音声データを通話音声信号に戻す音声伸長部２０とを備えている。
【００１２】
次に、図１に示したインターホン装置の動作について説明する。まず、モニタ付きインターホン２に設けられた留守釦１６が押下されると、留守釦検知部１７がそれを検知し、モニタ付きインターホン２は、留守モード状態に移行する。この状態において、呼出釦７が押下されカメラ付きドアホン１からの呼び出しが発生した場合、カメラ付きドアホン１から伝送された多重信号は、モニタ付きインターホン２に設けられた多重化分離化処理部９で映像信号と通話音声信号に分離され、映像信号はビデオ出力端子部２１から外部に設けられたビデオ信号記録装置（図示せず）に出力されると共に、ビデオ録画制御信号出力端子部２２からビデオ信号記録装置に録画を開始させる録画制御信号が出力される。さらに、カメラ付きドアホン１から伝送された通話音声信号は、音声圧縮部１８によりデータ圧縮され、音声メモリ１９に蓄えられる。
【００１３】
さらに、留守釦１６が再度操作され留守モードが解除されると、ビデオ信号記録装置に記録されていた映像信号がビデオ入力端子部２３からモニタ１１に出力され映像が再生される。それと同時に、音声メモリ１９に蓄えられていた音声データが音声伸長部２０によって通話音声信号に変換されスピーカー９から通話音声が出力される。
【００１４】
次に、図２に基づいて本願発明の第一の実施形態について説明する。図２に示す実施形態が、図１に示した参考例に対して異なる点は、来客検知を、呼出釦ではなく、人の接近を検知する人感センサによって行うように構成された点である。図１に示した構成と同等構成については同符号を付すこととし詳細な説明を省略する。
【００１５】
図１に示した参考例と異なる構成について説明すると、カメラ付きドアホン１には、人の接近を検知する人感センサ２４が備えられ、モニタ付きインターホン２には、呼出釦検知部１５の代わりに、人感センサ検知部２５が設けられている。
【００１６】
図２に示す実施形態の動作について説明すると、モニタ付きインターホン２において、留守釦１６が押下され、留守釦検知部１７において、留守釦押下が検出された場合、モニタ付きインターホン２は留守モードに移行する。この状態において、カメラ付きドアホン１の人感センサ２４が人間の接近を検知した場合、カメラ付きドアホン１から伝送される映像信号及び音声信号は、多重化分離化処理部１４において映像信号と通話音声信号に分離され、映像信号はビデオ出力端子部２１より外部に設けられたビデオ信号記録装置（図示せず）に出力されると共に、ビデオ録画制御信号出力端子部２２からビデオ信号記録装置に録画を開始させる録画制御信号が出力される。さらに、カメラ付きドアホン１から伝送された通話音声信号は、音声圧縮部１８によりデータ圧縮され、音声メモリ１９に蓄えられる。録画を再生する動作については、図１に示した参考例と同様であるので説明を省略する。
【００１７】
次に、図３に基づいて本願発明の第二の実施形態について説明する。図３に示す実施形態が、図２に示した実施形態に対して異なる点は、リモコン付きの家庭用（汎用）のビデオデッキを記録手段に流用できるように構成した点である。図２に示した構成と異なる構成は、モニタ付きインターホン２に設けられた、家庭用（汎用）のビデオデッキのリモコンが出力する制御信号と同様の制御信号を出力するビデオリモートコントロール部２６であり、これは、人感センサ検知部２５によって制御され、家庭用（汎用）のビデオデッキ本体（図示せず）に録画制御信号を出力する。
【００１８】
動作について説明すると、モニタ付きインターホン２において、留守釦１６が押下され留守釦検知部１７において留守釦押下が検出された場合、モニタ付きインターホン２は留守モードに移行する。この状態において、カメラ付きドアホン２の人感センサ２４が人間の接近を検知した場合、カメラ付きドアホン２から伝送される映像信号及び音声信号は、多重化分離化処理部１４において映像信号と通話音声信号に分離され、映像信号はビデオ出力端子部２１より家庭用（汎用）のビデオデッキに出力される。また、カメラ付きドアホン１で人感センサ２４が人間の接近を検知したことをモニタ付きインターホン２が検知した場合は、ビデオリモートコントロール部２６より、映像信号を家庭用（汎用）のビデオデッキで録画するための録画制御信号が出力される。この信号は、市販のビデオデッキに付属するリモコンが出力する制御信号と同様の信号を出力するように構成されているので、記録手段として家庭用（汎用）のビデオデッキが流用できる。また、音声信号は、音声圧縮部１８によりデータ圧縮され、音声メモリ１９に蓄えられる。但し、音声出力端子を別途設けて、音声信号も家庭用（汎用）のビデオデッキに記録するように構成してもよい。
【００２４】
【発明の効果】
以上に説明したように、請求項１または請求項２に記載のインターホン装置では、留守中の来客の映像をビデオに録画することができ、帰宅後、留守中の来客に対応することができる。また、人感センサにより来客の映像を記録するのでインターホン装置に防犯の機能を持たせることができる。
【００２６】
さらに、請求項２記載のインターホン装置では、家庭用の（汎用の）ビデオデッキを外部の記憶装置に流用することができる。
【図面の簡単な説明】
【図１】本願発明のインターホン装置の参考例の構成を示すブロック図である。
【図２】本願発明のインターホン装置の第一の実施形態の構成を示すブロック図である。
【図３】本願発明のインターホン装置の第二の実施形態の構成を示すブロック図である。
【符号の説明】
１  カメラ付きドアホン
２  モニタ付きインターホン
【図１】
0004159127.tif 000002
【図２】
0004159127.tif 000003
【図３】
0004159127.tif 000004